(57)【特許請求の範囲】
【請求項１】
加工物と電極との間の放電により加工を行う放電加工機において、
該放電加工機のヘッド側に電極の上部を係止してスライドさせるスライド機構を配設するとともに、
前記スライド機構が、スライド方向前後の２つの機構に分割され、一方の機構は揺動可能に支持され、電極の揺動を可能にする構成にした
ことを特徴とする放電加工機用電極取付装置。
【請求項２】
請求項１において、
スライドされた前記電極を前記ヘッドに位置決めするとともに締め付け固定装置を備えている
ことを特徴とする放電加工機用電極取付装置。
【請求項３】
請求項２において、
前記固定装置が、締め付けることにより芯出しを行うことができる芯出し機構を備え、前記電極の基準面を設定する基準面設定機構を構成する
ことを特徴とする放電加工機用電極取付装置。
【請求項４】
請求項１において、
前記スライド機構が、複数のローラを備え、ローラのころがりにより前記電極をスライドさせる構成より成る
ことを特徴とする放電加工機用電極取付装置。
【発明の詳細な説明】
【０００１】
【発明の属する技術分野】
本発明は、加工物と電極との間の放電により加工を行う放電加工機において、該放電加工機のヘッド側に電極の上部を係止してスライドさせるスライド機構を配設して、前記電極の交換および取り付け時間を短縮する放電加工機用電極取付装置に関する。
【０００２】
【従来の技術】
従来の放電加工機における電極の交換および取り付けは、図６に示されるように前記電極Ｄを、クレーンＣで吊り下げて放電加工機ＦのヘッドＨ側に移動させ、締め付け固定するものであった。
【０００３】
【発明が解決しようとする課題】
上記従来の放電加工機における前記電極Ｄの締め付け固定は、クレーンＣで吊り下げた状態において行われ、しかも締付方向がヘッドＨ側になるため、作業性が悪いとともに、加工物Ｗとの基準合わせのための電極の平行出しが必要であり、段取り工数が大であるという問題があった。
【０００４】
また、放電加工機のヘッドＨ側への締付方向が、前記クレーンＣによる吊り下げ状態においては、前記ヘッドＨ側の上方向となり、作業性を害するとともに、取付け方法が締付ボルトのみであり、前記電極の基準である平行面を設定することが出来ないという問題があった。
【０００５】
そこで本発明者は、加工物と電極との間の放電により加工を行う放電加工機において、スライド機構により該放電加工機のヘッド側に電極の上部を係止してスライドさせるという本発明の技術的思想に着眼し、さらに研究開発を重ねた結果、前記電極の交換および取り付けを容易にして所要時間を短縮するという目的を達成する本発明に到達した。
【０００６】
【課題を解決するための手段】
本発明（請求項１に記載の第１発明）の放電加工機用電極取付装置は、
加工物と電極との間の放電により加工を行う放電加工機において、
該放電加工機のヘッド側に電極の上部を係止してスライドさせるスライド機構を配設するとともに、
前記スライド機構が、スライド方向前後の２つの機構に分割され、一方の機構は揺動可能に支持され、電極の揺動を可能にする構成にした
ものである。
【０００７】
本発明（請求項２に記載の第２発明）の放電加工機用電極取付装置は、
前記第１発明において、
スライドされた前記電極を前記ヘッドに位置決めするとともに締め付け固定装置を備えている
ものである。
【０００８】
本発明（請求項３に記載の第３発明）の放電加工機用電極取付装置は、
前記第２発明において、
前記固定装置が、締め付けることにより芯出しを行うことができる芯出し機構を備え、前記電極の基準面を設定する基準面設定機構を構成する
ものである。
【０００９】
本発明（請求項４に記載の第４発明）の放電加工機用電極取付装置は、
前記第１発明において、
前記スライド機構が、複数のローラを備え、ローラのころがりにより前記電極をスライドさせる構成より成る
ものである。
【００１１】
（作用）
上記構成より成る第１発明の放電加工機用電極取付装置は、加工物と電極との間の放電により加工を行う放電加工機において、前記スライド機構により該放電加工機のヘッド側に前記電極の上部を係止してスライドさせるとともに、スライド方向前後の２つの機構に分割され、揺動可能に支持された前記スライド機構の一方の機構が、前記電極の揺動を可能にするので、加工中の該電極の仕上げ作業を可能にするものである。
【００１２】
上記構成より成る第２発明の放電加工機用電極取付装置は、加工物と電極との間の放電により加工を行う放電加工機において、前記スライド機構により該放電加工機のヘッド側に前記電極の上部を係止してスライドさせ、前記固定装置がスライドされた前記電極を前記ヘッドに位置決めするとともに、締め付けるものである。
【００１３】
上記構成より成る第３発明の放電加工機用電極取付装置は、加工物と電極との間の放電により加工を行う放電加工機において、前記スライド機構により該放電加工機のヘッド側に前記電極の上部を係止してスライドさせ、前記固定装置がスライドされた前記電極を前記ヘッドに位置決めして締め付けるとともに、前記基準面設定機構を構成する前記芯出し機構が締め付けることにより芯出しを行うことにより、前記電極の基準面を設定するものである。
【００１４】
上記構成より成る第４発明の放電加工機用電極取付装置は、加工物と電極との間の放電により加工を行う放電加工機において、前記複数のローラを備え、ローラのころがりにより前記電極をスライドさせる前記スライド機構により、該放電加工機のヘッド側に前記電極の上部を係止してスライドさせるものである。
【００１６】
【発明の効果】
上記作用を奏する第１発明の放電加工機用電極取付装置は、前記スライド機構により該放電加工機のヘッド側に前記電極の上部を係止してスライドさせるので、前記電極の交換および取り付けを容易にするとともに、所要時間を短縮するという効果を奏するとともに、スライド方向前後の２つの機構に分割され、揺動可能に支持された前記スライド機構の一方の機構が、前記電極の揺動を可能にするので、加工中の該電極の仕上げ作業を可能にするという効果を奏する。
【００１７】
上記作用を奏する第２発明の放電加工機用電極取付装置は、前記第１発明の効果に加え、前記固定装置がスライドされた前記電極を前記ヘッドに位置決めするとともに、締め付けるので、前記電極の位置決めおよび固定を可能にするという効果を奏する。
【００１８】
上記作用を奏する第３発明の放電加工機用電極取付装置は、前記第２発明の効果に加え、前記基準面設定機構を構成する前記芯出し機構が締め付けることにより芯出しを行うことによって、前記電極の基準面の設定を可能にするという効果を奏する。
【００１９】
上記作用を奏する第４発明の放電加工機用電極取付装置は、前記第３発明の効果に加え、前記スライド機構の前記複数のローラのころがりにより、前記電極をスライドさせることによって、該放電加工機のヘッド側に前記電極の上部を係止してスライドさせるので、前記電極のスライドを一層容易にするという効果を奏する。
【００２１】
【発明の実施の形態】
以下本発明の実施の形態につき、図面を用いて説明する。
【００２２】
（第１実施形態）
本第１実施形態の放電加工機用電極取付装置は、図１ないし図４に示すように加工物１と電極２との間の放電により加工を行う放電加工機３において、スライド方向前後の２つの機構４１、４２に分割され、前記放電加工機３のヘッド３１側に前記電極２の上部２１を係止してスライドさせるスライド機構４を配設したものである。
【００２３】
前記放電加工機３の前記ヘッド３１の下部には、治具本体５０がボルトにより固着され、該治具本体５０の下部には前記スライド機構４が配設されるとともに、一端にストッパ５１３が配設された固定の第１部分５１１と揺動可能な第２部分５１２とから成るガイドプレートを構成する第１の取付治具５１が螺着されている。
【００２４】
前記スライド機構４は、図１および図２に示されるように前記第１の取付治具５１の前記第１部分５１１および前記第２部分５１２にそれぞれ配設されたスライド方向前後の２つに分割されたスライド機構４１、４２が、複数のローラ４３を備えカムフロア４４より成り、各ローラ４３のころがりにより前記電極２をスライドさせる構成より成るものである。
【００２５】
前記カムフロア４４は、図１および図２に示されるように一端が前記放電加工機３の前記ヘッド３１の下部に固着された前記第１の取付治具５１の垂直壁面に螺着され水平に複数配設された軸４３１と、該軸４３１の他端にベアリング（図示せず）を介して回転可能に突出して配設された前記各ローラ４３とから成るものである。
【００２６】
前記電極２は、図１および図２に示されるように上部に標準ベース２０が固着され、該標準ベース２０の上部に第２の取付治具５２が固着され、該第２の取付治具５２の一部に水平突出部５２１が形成され、前記第１の取付治具５１に列設された前記カムフロア４４の前記各ローラ４３の上面に載置され、水平横方向のスライドを可能にするものである。
【００２７】
前記スライド機構４は、図２に示されるようにスライド方向前後に２つに分割された一方の機構４２が揺動可能に支持され、前記電極２の揺動を可能にする構成にされている。
【００２８】
すなわち、図１および図４に示されるように前記一方のスライド機構４２を構成するカムフロアのスライド方向の中央上部の係合部５４が、前記放電加工機３の前記ヘッド３１の下部に固着された前記第１の取付治具５１の一端に配設された揺動機構の蝶番としてのピン５３に対して、揺動可能に係合して、水平状態から垂直状態へ９０度揺動し得るものであり、係止部材５５によって揺動した電極２が係止される構成より成る。
【００２９】
前記一方のスライド機構４２は、図１および図３に示されるように半分が突出して形成されているので、クレーンＣで吊り上げられ運ばれてきた前記電極２の端部を載置して、前記クレーンＣによる吊り上げ状態を解除して前記カムフロアによって図中左方にスライドさせ得る構成より成る。
【００３０】
さらにスライドされた前記電極２の前記ヘッド３１への位置決めをするとともに締め付けを行う固定装置６は、図１に示されるように前記第１および第２の取付治具５１および５２の間に介挿されたノックピン６１および締付ボルト６２によって行われる。
【００３１】
基準面設定機構７は、前記電極２の上部の標準ベース２０に固着された第２の取付治具５２の４隅に相当する位置の前記取付治具本体５０および第２の取付治具５１および５２を貫通して形成された孔部に介挿されたボールロック７０によって構成される。
【００３２】
前記ボールロック７０は、下端内周壁にテーパ７４部が形成されたブッシュ７１と、該ブッシュ７１内に介挿され下端外周部に３個のボール７３が配設され回転されると下端が上方に移動し、該ボール７３が前記テーパ部７４に係合して締め付けるＴ字状断面の部材７２とから成る。
【００３３】
前記ボールロック７０は、前記Ｔ字状部材７２のボール７３が前記テーパ部７４に係合して締め付けることにより、芯出しを行うので、芯出し機構を構成し、前記電極２の基準面を設定し、平行出しを可能にする構成より成るものである。
【００３４】
上記構成より成る第１実施形態の放電加工機用電極取付装置は、図１および図３に示されるように前記クレーンＣで吊り上げられ運ばれてきた前記電極２の端部を、半分が突出して形成されている前記一方のスライド機構４２の突出しているカムフロア４４上に載置して、該カムフロア４４によって水平横方向にスライドさせるものである。
【００３５】
前記スライド機構４は、図２に示されるように前記第１の取付治具５１の前記第１部分５１１および前記第２部分５１２にそれぞれ配設されたスライド方向前後の２つに分割され複数のローラ４３を備えカムフロア４４より成りスライド機構４１、４２が、一方のスライド機構４２から他方のスライド機構４１へ前記各ローラ４３のころがりにより前記電極２を水平横方向にスライドさせるものである。
【００３６】
さらにスライドされた前記電極２は、図２に示されるように前記固定装置６を構成する前記第１および第２の取付治具５１および５２の間に介挿された前記ノックピン６１により位置決めされるとともに、前記締付ボルト６２によって締め付けられ前記放電加工機３の前記ヘッド３１に固定される。
【００３７】
前記第２の取付治具５２の４隅に相当する位置の前記取付治具本体５０および第２の取付治具５２を貫通して形成された孔部に介挿された前記基準面設定機構を構成する前記ボールロック７０は、前記Ｔ字状部材７２のボール７３が前記テーパ部７４に係合して締め付けることにより、芯出しを行うので、前記電極２の基準面を設定し、平行出しを行うものである。
【００３８】
すなわち、図２に示されるように前記一方のスライド機構４２を構成する前記カムフロアおよびガイドプレートが配設された前記第１の取付治具５１の揺動可能な前記第２部分のスライド方向の中央上部が、前記放電加工機３の前記ヘッド３１の下部に固着された前記第１の取付治具５１の一端に配設された蝶番としてのピンに対して揺動可能に係合して、水平状態から垂直状態へ９０度揺動させ、該揺動した状態に係止することも出来る。
【００３９】
前記第１の取付治具５１の一端に配設された前記ピンの回りに９０度揺動された前記電極２は、横方向を向いているので該電極の必要な仕上げ作業、および修正作業を容易に行うことが出来るものである。
【００４０】
上記作用を奏する第１実施形態の放電加工機用電極取付装置は、前記スライド機構４により前記放電加工機３の前記ヘッド３１側に前記電極２の上部を係止してスライドさせるので、前記電極２の交換および取り付けを容易にするとともに、所要時間を短縮するという効果を奏する。
【００４１】
すなわち本第１実施形態の放電加工機用電極取付装置は、前記クレーンで吊り下げられ運ばれてきた前記電極２の一端の端部を、半分が突出して形成されている前記一方のスライド機構４２の突出しているカムフロア上に載置して、前記クレーンによる吊り上げ状態を解除して該カムフロアによって水平横方向にスライドさせるので、前記電極２の交換および取り付けを容易にするという効果を奏する。
【００４２】
また第１実施形態の放電加工機用電極取付装置は、複数のローラ４３を備えカムフロア４４より成りスライド機構４１、４２が、一方のスライド機構４２から他方のスライド機構４１へ前記各ローラ４３のころがりにより前記電極２を水平横方向にスライドさせるので、前記電極のスライドに必要な力を小さくするため、前記電極のスライドを一層容易にするという効果を奏する。
【００４３】
さらに第１実施形態の放電加工機用電極取付装置は、前記固定装置６を構成する前記ノックピン６１により前記電極２を位置決めされるとともに、前記締付ボルト６２によって締め付けることにより前記電極２を前記放電加工機３の前記ヘッド３１に固定するので、前記加工物１に対する前記電極２の位置決めおよび固定を可能にするという効果を奏する。
【００４４】
また第１実施形態の放電加工機用電極取付装置は、前記基準面設定機構を構成する前記ボールロック７０が、前記Ｔ字状部材７２のボール７３が前記テーパ部７４に係合して締め付けることにより、芯出しを行うので、前記電極２の基準面を設定し、平行出しを行うので、前記電極２の基準面の設定を可能にするという効果を奏する。
【００４５】
さらに１実施形態の放電加工機用電極取付装置は、前記一方のスライド機構４２の中央上部が、前記第１の取付治具５１の一端に配設された前記ピンに対して揺動可能に係合して、水平状態から垂直状態へ９０度揺動させ、該揺動した状態に係止することも出来るので、９０度揺動された前記電極２は、横方向を向いているため、該電極の必要な仕上げ作業、および修正作業を容易に行うことが出来るという効果を奏する。
【００４６】
（第２実施形態）
第２実施形態の放電加工機用電極取付装置は、前記第１実施形態においては前記第１の取付治具５１に前記スライド機構４のカムフロアを配設するのに対して、図５に示されるように前記第１の取付治具５１に対向するとともに、前記電極２の上部に配設される標準ベース２０に固着された第２の取付治具５１に前記スライド機構４のカムフロア４５を配設する点が相違点であり、以下相違点を中心に説明する。
【００４７】
前記スライド機構４のカムフロア４５は、図５に示されるように前記電極２の上部に固着された前記標準ベース２０の上部に固着された前記第２の取付治具５２において、その垂直壁面に螺着され水平に複数配設された軸４６１と、該軸４６１の他端にベアリング（図示せず）を介して回転可能に突出して配設された前記各ローラ４６とから成るものである。
【００４８】
前記放電加工機３の前記ヘッド３１の下部に固着された前記第１の取付治具５１の一部に水平突出部５１５が形成され、該水平突出部５１５に前記第２の取付治具５２に列設された前記カムフロア４５の前記各ローラ４６の下面が載置され、水平横方向のスライドを可能にするものである。
【００４９】
上記作用を奏する第２実施形態の放電加工機用電極取付装置は、前記スライド機構４により前記放電加工機３の前記ヘッド３１側に前記電極２の上部を係止してスライドさせるので、前記第１実施形態と同様に前記電極２の交換および取り付けを容易にするとともに、所要時間を短縮するという効果を奏する。
【００５０】
また第２実施形態の放電加工機用電極取付装置は、複数のローラ４６を備えカムフロア４５より成りスライド機構４１、４２が、一方のスライド機構４２から他方のスライド機構４１へ前記各ローラ４６のころがりにより前記電極２を水平横方向にスライドさせるので、前記電極２のスライドに必要な力を小さくするため、前記電極のスライドを一層容易にするという効果を奏する。
【００５１】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００５２】
上述の第１および第２の実施形態においては、一例としてスライド機構を複数のローラより成るカムフロアによって構成する例について説明したが、本発明としてはそれに限定するものでは無く、例えば必要に応じてコロ、ベアリング、リニアベアリング等を採用することが可能である。
【図面の簡単な説明】
【図１】本発明の第１実施形態装置を示す正面図である。
【図２】本第１実施形態装置を示す図１中のＡ−Ａ線に沿う断面図である。
【図３】本第１実施形態装置のスライド機構の一端に電極の一端を載置した状態を示す正面図である。
【図４】本第１実施形態装置において、係止した電極を揺動した状態を示す正面図である。
【図５】本発明の第２実施形態装置の要部を示す拡大断面図である。
【図６】従来装置における電極の取り付けを説明するための説明図である。
【符号の説明】
１  加工物
２  電極
３  放電加工機
３１  ヘッド
４、４１、４２  スライド機構
【図１】
0003582223.tif 000002
【図２】
0003582223.tif 000003
【図３】
0003582223.tif 000004
【図４】
0003582223.tif 000005
【図５】
0003582223.tif 000006
【図６】
0003582223.tif 000007